(57)【要約】  本発明の表示装置用照明装置は、前面に複数のランプ（４）を搭載し背面にコネクタ（５）を設けているシャーシ（１）と、インバータ回路（７）及びインバータ側コネクタが設けられているインバータユニット（６）とを備えている。  インバータユニット（６）に位置決め用貫通穴（８）が設けられ、シャーシ（１）に位置決め用マーキング（９）が設けられ、位置決め用マーキング（９）が、インバータユニット（６）をシャーシ（１）の背面に取り付けた状態で位置決め用貫通穴（８）から視認できる位置に配置されている。  本発明によると、コネクタ（５）とインバータ側コネクタとを接続することによって、シャーシ（１）とインバータユニット（６）との位置関係が確定する。  本発明の表示装置用照明装置は、液晶テレビ受信装置用バックライトとして利用することができる。
2008111253.tif 000002
【特許請求の範囲】
【請求項１】
前面にランプを搭載し背面にコネクタを設けているシャーシと、
インバータ回路及び前記コネクタと対をなすインバータ側コネクタが設けられているインバータユニットとを備え、
前記コネクタのコネクタ端子が前記ランプの端子に電気的に接続されており、前記インバータ側コネクタのコネクタ端子が前記インバータ回路の出力端に電気的に接続されており、
前記コネクタと前記インバータ側コネクタとを接続することによって、前記シャーシと前記インバータユニットとの位置関係が確定する表示装置用照明装置であって、
前記インバータユニットに位置決め用貫通穴を設け、前記シャーシに位置決め用マーキングを設け、前記位置決め用マーキングが、前記インバータユニットを前記シャーシの背面に取り付けた状態で前記位置決め用貫通穴から視認できる位置に配置されていることを特徴とする表示装置用照明装置。
【請求項２】
前記位置決め用貫通穴と前記位置決め用マーキングの組が複数である請求項１に記載の表示装置用照明装置。
【請求項３】
請求項１または請求項２に記載の表示装置用照明装置を備えることを特徴とする表示装置。
【請求項４】
前記表示装置はテレビ受信装置である請求項３に記載の表示装置。
【発明の詳細な説明】
【技術分野】
【０００１】
本発明は、表示装置用照明装置及びそれを備えた表示装置に関し、特に、前面にランプを搭載するシャーシの背面にインバータユニットが取り付けられる表示装置用照明装置及び表示装置に関する。
【背景技術】
【０００２】
従来の一般的な表示装置用照明装置では、例えば特許文献１のように、前面にランプを搭載するシャーシから延びたハーネス（リード線ともいう）を直接又はコネクタを介してインバータユニットに接続していたので、インバータユニットの接続が完了してもシャーシとインバータユニットとの位置関係が決まらず、別途シャーシとインバータユニットとの位置関係を確定させるための作業工程が必要であった。【０００３】
そこで、かかる問題点を解決するために、図８及び図９に示す表示装置用照明装置が考え出された。なお、図８は背面側斜視図であり、図９は正面図である。図８及び図９に示す表示装置用照明装置は、インバータユニットの接続が完了すると同時にシャーシとインバータユニットとの位置関係が確定する形態の表示装置用照明装置である。【０００４】
図８及び図９に示す表示装置用照明装置においては、シャーシ１の前面に複数のランプ４を搭載し、各ランプ４の一端が第１の保持具２によって保持され、各ランプ４の他端が第２の保持具３によって保持されている。また、シャーシ１の背面において、第１の保持具２に対応する位置にコネクタ５がランプ４の本数と同数設けられている。各ランプ４の一端側端子はそれぞれ導電性の各第１の保持具２を介して各コネクタ５のコネクタ端子に電気的に接続され、各ランプ４の他端側端子は導電性の第２の保持具３を介してグランド電位に共通接続される。【０００５】
インバータユニット６は、インバータ回路７をランプ４の本数と同数有している。インバータユニット６において、インバータ回路７の搭載面と反対側の面にはコネクタ５と対をなすインバータ側コネクタ（不図示）が設けられている。各インバータ回路７の一方の出力端は各インバータ側コネクタのコネクタ端子に電気的に接続されており、各インバータ回路７の他方の出力端はグランド電位に接続されている。【０００６】
図８に示す矢印の方向で、インバータユニット６をシャーシ１の背面に取り付けると、シャーシ１の各コネクタ５とインバータユニット６の各インバータ側コネクタ（不図示）とが接続され、それと同時にシャーシ１とインバータユニット６との位置関係が確定する。【０００７】
【特許文献１】特開平５−１１９３１１号公報（第１図、第４図）
【発明の開示】
【発明が解決しようとする課題】
【０００８】
しかし、図８及び図９に示す表示装置用照明装置では、シャーシ１の各コネクタ５とインバータユニット６の各インバータ側コネクタ（不図示）との接続箇所が、インバータユニット６本体によって作業者から死角となっている。このため、作業者が手探りでシャーシ１の各コネクタ５とインバータユニット６の各インバータ側コネクタ（不図示）との接続を行うことになり、インバータユニット６のシャーシ１への取り付け作業が難しいという問題がある。【０００９】
本発明は、上記の状況に鑑み、インバータユニットの接続が完了すると同時にシャーシとインバータユニットとの位置関係が確定する形態であってインバータユニットのシャーシへの取り付けが容易な表示装置用照明装置及びそれを備えた表示装置を提供することを目的とする。
【課題を解決するための手段】
【００１０】
上記目的を達成するために本発明に係る表示装置用照明装置は、前面にランプを搭載し背面にコネクタを設けているシャーシと、インバータ回路及び前記コネクタと対をなすインバータ側コネクタが設けられているインバータユニットとを備え、前記コネクタのコネクタ端子が前記ランプの端子に電気的に接続されており、前記インバータ側コネクタのコネクタ端子が前記インバータ回路の出力端に電気的に接続されており、前記コネクタと前記インバータ側コネクタとを接続することによって、前記シャーシと前記インバータユニットとの位置関係が確定する表示装置用照明装置であって、前記インバータユニットに位置決め用貫通穴を設け、前記シャーシに位置決め用マーキングを設け、前記位置決め用マーキングが、前記インバータユニットを前記シャーシの背面に取り付けた状態で前記位置決め用貫通穴から視認できる位置に配置されている構成である。【００１１】
このような構成によると、表示装置用照明装置の製造において、作業者が、前記位置決め用貫通穴が前記各位置決め用マーキングに一致するように位置決めをしながら前記インバータユニットを前記シャーシの背面に取り付けることができるので、前記インバータユニットの前記シャーシへの取り付け作業が容易になる。【００１２】
また、上記構成の表示装置用照明装置において、前記位置決め用貫通穴と前記位置決め用マーキングの組を複数にすることが望ましい。これにより、位置決めがより容易になる。【００１３】
また、上記目的を達成するために本発明に係る表示装置（例えばテレビ受信装置）は、上記構成の表示装置用照明装置を備える構成とする。
【発明の効果】
【００１４】
本発明によると、インバータユニットの接続が完了すると同時にシャーシとインバータユニットとの位置関係が確定する形態であってインバータユニットのシャーシへの取り付けが容易な表示装置用照明装置及びそれを備えた表示装置を実現することができる。
【図面の簡単な説明】
【００１５】
【図１】は、本発明に係る表示装置用照明装置の一例の背面側斜視図である。
【図２】は、本発明に係る表示装置用照明装置の一例の正面図である。
【図３】は、本発明に係る表示装置用照明装置の他の例の背面側斜視図である。
【図４】は、本発明に係る表示装置用照明装置の他の例の正面図である。
【図５】は、本発明に係る表示装置用照明装置の更に他の例の背面側斜視図である。
【図６】は、本発明に係る表示装置用照明装置の更に他の例の正面図である。
【図７】は、本発明に係る表示装置の一例である液晶テレビ受信装置の分解斜視図である。
【図８】は、従来の表示装置用照明装置の背面側斜視図である。
【図９】は、従来の表示装置用照明装置の正面図である。
【符号の説明】
【００１６】
１    シャーシ
２    第１の保持具
３    第２の保持具
４    ランプ
５    コネクタ
６、６’、６’’    インバータユニット
７    インバータ回路
８    位置決め用貫通穴
９    位置決め用マーキング
１０    表キャビネット
１１    裏キャビネット
１２    透過型液晶表示部
１３    チューナ
１４    電源
１５    スタンド
【発明を実施するための最良の形態】
【００１７】
本発明の実施形態について図面を参照して以下に説明する。本発明に係る表示装置用照明装置の一例を図１及び図２に示す。図１は背面側斜視図であり、図２は正面図である。なお、図１及び図２において図８及び図９と同一の部分には同一の符号を付す。【００１８】
図１及び図２に示す本発明に係る表示装置用照明装置においては、シャーシ１の前面に複数のランプ４を搭載し、各ランプ４の一端が第１の保持具２によって保持され、各ランプ４の他端が第２の保持具３によって保持されている。さらに、ランプ４の前面にはシャーシ１の正面全体を覆う光学シートが設けられている。また、シャーシ１の背面において、第１の保持具２に対応する位置にコネクタ５がランプ４の本数と同数設けられている。各ランプ４の一端側端子はそれぞれ導電性の第１の保持具２を介してコネクタ５のコネクタ端子に電気的に接続され、各ランプ４の他端側端子は導電性の第２の保持具３を介してグランド電位に共通接続される。【００１９】
インバータユニット６は、インバータ回路７をランプ４の本数と同数有している。インバータユニット６において、インバータ回路７の搭載面と反対側の面にはコネクタ５と対をなすインバータ側コネクタ（不図示）が設けられている。各インバータ回路７の一方の出力端は各インバータ側コネクタのコネクタ端子に電気的に接続されており、各インバータ回路７の他方の出力端はグランド電位に接続されている。インバータ回路７は、入力した電圧を所定の周波数（例えば、数十ｋＨｚ）の電圧に変換して出力する回路である。【００２０】
また、図１及び図２に示す本発明に係る表示装置用照明装置においては、インバータユニット６に複数の位置決め用貫通穴８を設け、シャーシ１に複数の位置決め用マーキング９を設けている。なお、各位置決め用マーキング９は、インバータユニット６をシャーシ１の背面に取り付けた状態で各位置決め用貫通穴８から視認できる位置に配置されている。位置決め用マーキング９は、どのような態様で設けても構わないが、例えば、刻設やインク印刷によるマーキングが例として挙げられる。【００２１】
図１及び図２に示す本発明に係る表示装置用照明装置の製造においては、図１に示す矢印の方向でインバータユニット６をシャーシ１の背面に取り付ける作業工程が存在する。かかる作業では、シャーシ１の各コネクタ５とインバータユニット６の各インバータ側コネクタ（不図示）との接続箇所が、インバータユニット６本体によって作業者から死角となるが、図１及び図２に示す本発明に係る表示装置用照明装置の構成によると、各位置決め用貫通穴８が各位置決め用マーキング９に一致するように位置決めをしながらインバータユニット６をシャーシ１の背面に取り付けることができるので、上記作業すなわちインバータユニット６のシャーシ１への取り付け作業が容易である。【００２２】
このように図１に示す矢印の方向でインバータユニット６をシャーシ１の背面に取り付けると、シャーシ１の各コネクタ５とインバータユニット６の各インバータ側コネクタ（不図示）とが接続され、それと同時にシャーシ１とインバータユニット６との位置関係が確定する。【００２３】
なお、図１及び図２に示す本発明に係る表示装置用照明装置では、位置決め用貫通穴８と位置決め用マーキング９の組は複数であったが、位置決め用貫通穴８と位置決め用マーキング９の組は単数であってもよい。ただし、位置決め用貫通穴８と位置決め用マーキング９の組が複数である実施形態の方が、位置決めがより容易であるため好適である。【００２４】
次に、本発明に係る表示装置用照明装置の他の例を図３及び図４に示す。図３は背面側斜視図であり、図４は正面図である。なお、図３及び図４において図１及び図２と同一の部分には同一の符号を付し、詳細な説明を省略する。【００２５】
図３及び図４に示す本発明に係る表示装置用照明装置は、図１及び図２に示す本発明に係る表示装置用照明装置のインバータユニット６を二つのインバータユニット６’及び６’’に分割し、二つのインバータユニット６’及び６’’それぞれが複数のインバータ回路７及び複数の位置決め用貫通穴８を備えている構成である。図３及び図４に示す本発明に係る表示装置用照明装置では、インバータユニットを複数にしているので、図１及び図２に示す本発明に係る表示装置用照明装置に比べて１つのインバータユニットのサイズが小さくなり、インバータユニットのシャーシ１への取り付け作業がより一層容易になる。【００２６】
なお、図３及び図４に示す本発明に係る表示装置用照明装置では、インバータユニットを二つに分割したが、分割数は三つ以上であっても構わない。【００２７】
次に、本発明に係る表示装置用照明装置の更に他の例を図５及び図６に示す。図５は背面側斜視図であり、図６は正面図である。なお、図５及び図６において図１及び図２と同一の部分には同一の符号を付し、詳細な説明を省略する。【００２８】
図５及び図６に示す本発明に係る表示装置用照明装置では、ランプ４に並列駆動が可能なランプを用いており、各ランプ４の一端側端子は導電性の第１の保持具２を介して単一のコネクタ５のコネクタ端子に電気的に共通接続される。このため、インバータユニット６に設けるインバータ回路７も一つになる。この場合でも、シャーシ１のコネクタ５とインバータユニット６のインバータ側コネクタ（不図示）との接続箇所が、インバータユニット６本体によって作業者から死角となることには変わりないので、インバータユニット６に位置決め用貫通穴８を設け、シャーシ１に位置決め用マーキング９を設けることにより、インバータユニット６のシャーシ１への取り付け作業が容易になる。【００２９】
上述した実施形態はいずれも各ランプ４の他端側端子がグランド電位に接続されている形態であるが、ランプ４のリーク電流による輝度勾配を左右対称にし、照明品質を向上させるために、各ランプ４の一端側端子に印加される電圧の位相と各ランプ４の他端側端子に印加される電圧の位相とが互いに略１８０°反転している構成にしてもよい。【００３０】
例えば、図１及び図２に示す本発明に係る表示装置用照明装置において、第２の保持具３を第１の保持具２と同様に各ランプ４毎に独立させ、各ランプ４の一端側端子をそれぞれ導電性の第１の保持具２を介してコネクタ５の第１コネクタ端子に電気的に接続し、各ランプ４の他端側端子をそれぞれ導電性の第２の保持具３及び第２の保持具３からコネクタ５まで引き回されるハーネスを介してコネクタ５の第２コネクタ端子に電気的に接続し、各インバータ回路７の一方の出力端を各インバータ側コネクタの第１コネクタ端子（コネクタ５とインバータ側コネクタとの接続によりコネクタ５の第１コネクタ端子に接続される端子）に電気的に接続し、各インバータ回路７の他方の出力端を各インバータ側コネクタの第２コネクタ端子（コネクタ５とインバータ側コネクタとの接続によりコネクタ５の第２コネクタ端子に接続される端子）に電気的に接続し、各インバータ回路７の一方の出力端から出力される電圧の位相と各インバータ回路７の他方の出力端から出力される電圧の位相とを互いに略１８０°反転するように変形すれば、各ランプ４の一端側端子に印加される電圧の位相と各ランプ４の他端側端子に印加される電圧の位相とが互いに略１８０°反転している構成になる。【００３１】
また、上述した各実施形態の表示装置用照明装置を複数、ランプの主軸方向に並べて配置（１８０°回転させてから並べる配置も含む）し、それら複数の表示装置用照明装置のシャーシを一体化した構成も本発明に係る表示装置用照明装置の一実施形態である。このような構成を採用した場合、各ランプの長さを抑えることができるので、表示装置の大型化に容易に対応することができる。【００３２】
本発明に係る表示装置は、上記本発明に係る表示装置用照明装置と、表示パネルとを備える構成である。本発明に係る表示装置の具体的態様としては、例えば、本発明に係る表示装置用照明装置をバックライトユニットとして用い、その正面に液晶表示パネルを設けた透過型液晶表示装置が挙げられる。【００３３】
本発明に係る表示装置が液晶テレビ受信装置である場合の分解斜視図の一例を図７に示す。表キャビネット１０と裏キャビネット１１との間に、透過型液晶表示部１２、チューナ１３、及び電源１４が格納され、裏キャビネット１１がスタンド１５によって保持されている。透過型液晶表示部１２は、本発明に係る表示装置用照明装置をバックライトユニットとして用い、その正面に液晶表示パネルを設けたものである。
【産業上の利用可能性】
【００３４】
本発明の表示装置用照明装置は、液晶テレビ受信装置用バックライトをはじめ、種々の表示装置用装置として利用することができる。
【図１】
2008111253.tif 000003
【図２】
2008111253.tif 000004
【図３】
2008111253.tif 000005
【図４】
2008111253.tif 000006
【図５】
2008111253.tif 000007
【図６】
2008111253.tif 000008
【図７】
2008111253.tif 000009
【図８】
2008111253.tif 000010
【図９】
2008111253.tif 000011
【国際調査報告】
2008111253.tif 000012
2008111253.tif 000013